(57)【要約】      （修正有）【課題】就寝中の脳卒中、心筋梗塞や肺疾患などの発症防止、疲労回復、勉強部屋や書斎において使用され得る室内換気扇型の簡単な機器による、高濃度酸素供給装置を提供する。【解決手段】室外高濃度酸素濃縮・発生器１と室内高濃度酸素供給器２と前記室外高濃度酸素濃縮・発生器１並びに前記室内高濃度酸素供給器２を繋ぐ送風ダクト３と前記室外高濃度酸素濃縮・発生器並びに前記室内高濃度酸素供給器用タイマー４と酸素濃度調整器７とから成る、高濃度酸素使用による室内高濃度酸素供給装置１０である。また、前記の室内高濃度酸素供給装置１０は、室内酸素濃度を検知・測定するセンサー８を有し、前記室内高濃度酸素供給器２は（逆）換気扇型で、特にシロッコファン又はスイングルーバであり、上記室内高濃度酸素供給器２はデジタル時計や額縁に取り付けられる。【選択図】図１
0003146320.tif 000002
【実用新案登録請求の範囲】
【請求項１】
室外高濃度酸素濃縮・発生器と室内高濃度酸素供給器と前記室外高濃度酸素濃縮・発生器並びに前記室内高濃度酸素供給器を繋ぐ送風ダクトと前記室外高濃度酸素濃縮・発生器並びに前記室内高濃度酸素供給器用タイマーと酸素濃度調整器とから成ることを特徴とする、高濃度酸素使用による室内高濃度酸素供給装置。
【請求項２】
前記の室内高濃度酸素供給器は、室内酸素濃度を検知・測定するセンサーを有することを特徴とする、請求項１に記載の高濃度酸素使用による室内高濃度酸素供給装置。
【請求項３】
前記の高濃度酸素使用による室内高濃度酸素供給装置において、前記室内高濃度酸素供給器は換気扇型であることを特徴とする、請求項１又は２に記載の高濃度酸素使用による室内高濃度酸素供給装置。
【請求項４】
前記換気扇はシロッコファン又はスイングルーバによることを特徴とする、請求項３に記載の高濃度酸素使用による室内高濃度酸素供給装置。
【請求項５】
前記高濃度酸素供給器はアラーム、センサー、タイマー機能を有するデジタル時計に取り付けられていることを特徴とする、請求項１〜３の何れかに記載の高濃度酸素使用による室内高濃度酸素供給装置。
【請求項６】
前記高濃度酸素供給器はアラーム、センサー、タイマー機能を有する額縁に取り付けられたものであることを特徴とする、請求項１〜３の何れかに記載の高濃度酸素使用による室内高濃度酸素供給装置。
【考案の詳細な説明】
【技術分野】
【０００１】
この考案は、一般家庭において脳卒中、心筋梗塞や肺疾患など就寝中に生ずる疾病予防又は疲労回復を図る、或いはまた勉強部屋や書斎において使用される高濃度酸素使用による室内高濃度酸素供給装置に関するものである。
【背景技術】
【０００２】
従来、この種の考案においては、室外酸素濃縮・発生器や、浴室内のものや、乗用車内のものであったり、また殆どのものが疲労回復を主たる目的とするものであり、或いはまた軽度の傷害を早期に治癒・回復させるいわゆる酸素カプセルと称される人体収容型カプセルのものが知られている。
しかしながら、本考案のように高濃度酸素を室内に導入し睡眠中の室内での使用に関するものはこれまで見られない。
また、車両室内全体に酸素濃度を常に一定の高濃度に保つために工夫などがなされていた。しかしながら、後述するように高濃度酸素を就寝室内に取り入れ、しかも疾病発症率の高い深夜〜未明に絞って解決を図るものはこれまで見られない。
なおまた、下記の特許文献にも見られるように、酸素富化器を使用する酸素富化空気（フレッシュエア）を車両室内などに取り入れるものも見られるが、本考案の要旨を有するものは見られない。
【０００３】
そもそも、富化酸素吸入には有酸素運動能力の増加による運動能力を高めること、疲労物質乳酸は酸素が最終処理であることによる疲労回復、カルシウムイオンの調節による血流正常化、製造能力の向上による栄養素の効率的な吸収、病原菌に対する抵抗力の増加による免疫力向上、神経細胞の電気信号がスムーズに流れることによる脳細胞神経細胞の活性化、脂肪燃焼機能の高まりによるダイエット効果などが認められている。
【０００４】
下記の特許文献１には、高濃度酸素ガス供給手段から高濃度酸素ガスをマッサージ用ベッドの頭部載置近傍位置に導管を介して供給してマッサージ治療者の頭部近傍に高濃度酸素ガスの雰囲気を形成するマッサージベッド用高濃度酸素ガス供給方法とその装置が開示されている。
【０００５】
また、特許文献２には、車載空調器を備えた車両に搭載された酸素富化器と、フレッシュエア送風器とからなる車両用フレッシュエア供給器であって、フレッシュエア送風器は複数の空調吹出口のうち、乗員の呼吸器系器官に所定風量を到達させている空調風の情報を検知・測定する気流検知・測定センサ群と、このセンサ群の検知・測定情報から乗員の呼吸器系器官に空調風を到達させている空調吹出口を判定する制御部とを備えることで、判定された空調吹出口から吹き出される空調風にフレッシュエアを合流させることが出来るので、フレッシュエアによる乗員の疲労回復、眠気防止の効果を高めることが可能となる、車両用フレッシュエア供給器が開示されている。
【０００６】
また、特許文献３には、空気中の酸素だけを選択的に窒素と分離する固体電解質型酸素ポンプと、前記固体電解質型酸素ポンプの一次側に空気供給路と、前記固体電解質型酸素ポンプの二次側に酸素供給路とを配設する車両用酸素富化器において、前記固体電解質型酸素ポンプにより分離した酸素を、前記酸素供給路に配設した酸素吹出口より車室内に送出する構成の車両用酸素富化器が開示されている。
【０００７】
また、特許文献４には、浴槽内の水位に連動してジェットバス器のジェット配管経路を開閉するフロート式逆止弁を配置し、ジェットバス器の空気取り込み口とフロート式逆止弁との間に酸素富化器の分岐経路を連通させ、フロート式逆止弁は、ジェットバス器運転時にジェット配管経路を開いて空気取り込み口からの空気と高酸素濃度の空気とをジェットバス器のエジェクター部に供給し、微細気泡発生器運転中の浴槽の水位上昇時にジェット配管経路を閉じた状態にして高酸素濃度の空気を空気取り込み口から浴室内に吐出す、気泡発生浴槽が開示されている。
【特許文献１】特開２００６−０８１８７９号公報
【特許文献２】特開２００４−２５６０７７号公報
【特許文献３】特開２００５−０７５２８７号公報
【特許文献４】特開２００５−３１９００３号公報
【考案の開示】
【考案が解決しようとする課題】
【０００８】
古来より「早起きは三文の得」と云われているように、その意味するところは早朝に起きて活動・体操・運動・散歩などを行なうことにより、早朝は清潔な空気、酸素量が多いと云うことで脳の働きが良くなるばかりでなく、体細胞の代謝もよく健康にとても良いとされていた。しかしながら、近年は酸素を多く作る樹木には野鳥の羽・糞などのゴミがとても多く付着しその様な樹木が多い公園や森林では風が吹けばこのようなゴミが飛ばされ、健康作りの人々や働く人々に吸引され場合によっては肺炎になるなどの不健康の因子となっていた。さらに、大気汚染により早朝もそれほど空気が浄化されていないことも容易に推察される。このため人々は低酸素状態になりがちであり（中枢性乃至閉塞性睡眠時無呼吸等による）、さらには水分欠乏により脳梗塞や心筋梗塞になり易い傾向になっている。本考案においては、最も疾病発生率の高い午前３〜４時頃に就寝中の室内酸素濃度が高い状態になるようにタイマーを設定するようにする。
【０００９】
上述のように、脳卒中や心筋梗塞などの疾病の殆どが就寝中、特に未明に発症することがよく知られている。この考案は係る状況下において、就寝中のかかる不具合・不幸を防止することを目的とするものである。また、本考案は就寝中に前日の疲労を回復させることを目的とするものである。殊に室内換気扇型の簡単な機器による、高濃度酸素供給装置を提供するものである。
【課題を解決するための手段】
【００１０】
上記の目的・課題は本考案によれば、室外高濃度酸素濃縮・発生器と室内高濃度酸素供給器と前記室外高濃度酸素濃縮・発生器並びに前記室内高濃度酸素供給器を繋ぐ送風ダクトと前記室外高濃度酸素濃縮・発生器並びに前記室内高濃度酸素供給器用タイマーと酸素濃度調整器とから成ることを特徴とする、高濃度酸素使用による室内高濃度酸素供給装置により達成される。
この考案においては、就寝中に室外高濃度酸素濃縮・発生器により発生する高濃度酸素を室内高濃度酸素供給器により、室内に適正な濃度の酸素を供給させることが出来るので脳卒中、心筋梗塞や肺疾患などの疾病を未然に防止することができる。
また、この考案においては、高濃度酸素発生器並びに供給器のタイマーを設けたので、所望の時間に前記高濃度酸素発生器並び供給器を作動させることができ、その後の連続運転時間を含めて、発症率が高い時間帯に作動・運転させることができるので、脳卒中、心筋梗塞や肺疾患などを未然に防止することが可能となる。さらにまた、この考案においては、酸素濃度を調整可能にしたので、使用者の所望する酸素濃度にすることが出来るので、より効果的にこの装置を使用することが可能である。
【００１１】
また、上記の目的・課題はさらに本考案によれば、前記の室内高濃度酸素供給装置は、室内酸素濃度を検知・測定するセンサーを有することを特徴とする、高濃度酸素使用による室内高濃度酸素供給装置より達成される。
この考案においては、室内酸素濃度を検知・測定するセンサーを設けたので、高濃度酸素を行き渡らせる室内の酸素濃度を検知・測定し、利用者の所望する酸素濃度に設定することができる。
【００１２】
また、上記の目的・課題はさらに本考案によれば、前記の高濃度酸素使用による室内高濃度酸素供給装置において、前記室内高濃度酸素供給器は換気扇型（室外から酸素を供給する逆換気扇型、以下同じ）であることを特徴とする、高濃度酸素使用による室内高濃度酸素供給装置より達成される。
この考案においては、前記室内高濃度酸素供給器は換気扇型であるので、高濃度酸素を供給させる部屋に満遍なく高濃度酸素を行き渡らせることができる。
【００１３】
また、上記の目的・課題はさらに本考案によれば、前記換気扇はシロッコファン又はスイングルーバによることを特徴とする、高濃度酸素使用による室内高濃度酸素供給装置により達成される。
この考案においては、室内換気扇としてシロッコファン又はスイングルーバを使用するので、高濃度酸素が絶えず室内の上側から下側に還流され、適切な室内高濃度酸素状態が保たれることになる。
【００１４】
また、上記の目的・課題はさらに本考案によれば、前記高濃度酸素供給器はアラーム、センサー、タイマー機能を有するデジタル時計に取り付けられていることを特徴とする、高濃度酸素使用による室内高濃度酸素供給装置により達成される。
この考案においては、高濃度酸素供給器の吹き出し口をアラーム、センサー、タイマー機能を有するデジタル時計に設けたので、勉強部屋や書斎においても見栄え良く効果的に使用され得る。また、アラーム、センサー、タイマー機能を有するので至便である。
【００１５】
また、上記の目的・課題はさらに本考案によれば、前記高濃度酸素供給器はアラーム、センサー、タイマー機能を有する額縁に取り付けられていることを特徴とする、高濃度酸素使用による室内高濃度酸素供給装置により達成される。
この考案においては、高濃度酸素供給器の吹き出し口を額縁の一部に設けたので、勉強部屋や書斎などにおいても見栄え良く効果的に使用され得る。また、アラーム、センサー、タイマー機能を有するので至便である。
【考案の効果】
【００１６】
上述のように、本考案は就寝中に室外高濃度酸素濃縮・発生器から室内高濃度酸素供給器により、適正な酸素を室内に供給・発生させることが出来、殊に室内換気扇型器であるので、部屋に満遍なく高濃度酸素を行き渡らせることができ、脳卒中、心筋梗塞や肺疾患などの疾病を未然に防止することができる。
また、本考案においては、高濃度発生器並びに供給器のタイマーを設けたので、所望の時間に前記高濃度発生器並び供給器を作動させることができ、その後の連続運転時間を含めて、発症率が高い時間帯に作動・運転させることができるので、脳卒中、心筋梗塞や肺疾患などを未然に防止することが可能となる。
また、この考案においては、室内換気扇としてシロッコファン又はスイングルーバを使用する場合には、高濃度酸素が絶えず室内の上側から下側に還流され、適切な室内酸素状態が保たれる。
また、この考案においては、酸素濃度を調整可能にしたので、使用者の所望する酸素濃度にすることが出来るので、より効果的に当該装置を使用することが可能である。
また、この考案においては、室内酸素濃度を検知・測定するセンサーを設けたので、高濃度酸素を行き渡らせる室内の酸素濃度を検知・測定し、利用者の所望する酸素濃度に設定することができる。なおまた、このセンサーにより所定以上の酸素濃度には達せず、爆発などの危険性がなく安全なものとなる。
また、この考案においては、高濃度酸素供給器の吹き出し口をデジタル時計や額縁の一部に取り付けたので、勉強部屋や書斎においても見栄え良く効果的に使用できる。
【考案を実施するための最良の形態】
【００１７】
以下、この考案の好適な実施形態を図１〜図４を参照しながら詳細に説明する。なお、以下に述べる実施形態は、本考案の好適な具体例であるから、技術的に好ましい種々の限定が付されているが、本考案の範囲は、以下の説明において特に本考案を限定する旨の記載がない限り、これらの態様に限定されるものではない。
【００１８】
（実施例１）
図１は本考案の第一の実施形態における、高濃度酸素を使用する室内高濃度酸素供給装置を示す概略斜視図である。図１において、１０は当該室内高濃度酸素供給装置全体を示し、室外高濃度酸素濃縮・発生器（不図示の高濃度酸素供給ポンプを含む）１、室内換気扇型の室内高濃度酸素供給器２、高濃度酸素送風ダクト３、前記室内高濃度酸素発生・供給タイマー４、酸素濃度調整器７、室内酸素濃度センサー８から成る。なお、５は前記高濃度酸素が行き渡る室内、６は当該装置利用者である。以下に、詳述する。
【００１９】
図１において、１は利用者６が就寝する室５の室外に設けられた室外高濃度酸素濃縮・発生器１であり、不図示の高濃度酸素供給ポンプを内蔵するものである。従って、当該室外高濃度酸素濃縮・発生器１は酸素濃縮と共に濃縮酸素を発生させるものである。２は前記の室外高濃度酸素濃縮・発生器１に対応する室内換気扇型の室内高濃度酸素供給器で、高濃度酸素送風ダクト３により前記室外高濃度酸素濃縮・発生器１に繋がれている。この室内高濃度酸素供給器２は不図示の高濃度酸素供給ノズルが設けられている。この室内高濃度酸素供給器２は利用者６が就寝する室５の適宜位置に設定すれば良いが、酸素濃度により予め適切な高さに備えられることが好ましい。上述のように、この室内高濃度酸素供給器２は利用者６が就寝する室５内に設けられるものであって、本形態においては換気扇型である。このため、室外高濃度酸素濃縮・発生器１並びに高濃度酸素送風ダクト３を通じて送られてくる高濃度酸素を室内５に満遍なく行き渡らせ、これにより高濃度酸素を多量に含んだ空気層が形成されることとなる。また、換気扇型であるので利用しない場合には換気扇の回転がなく、高濃度酸素の供給が行なわれず、無駄な作動が妨げられる。
【００２０】
４は前記の室内５に設定された前記室外高濃度酸素濃縮・発生器１並びに室内高濃度酸素供給器２と連動するタイマーであり、利用者６が高濃度酸素の供給を所望する時間を設定することができる。これにより、後述する最も適切な時間帯に高濃度酸素を利用者６が就寝する室５に供給することができる。云うまでもなく、当該タイマーはリモコン式とすれば利用者６の手元におくことにより、より利用し易いものとなる。また、７は前記室内５に設定された酸素濃度調整器であり、後述の室内酸素濃度センサー８並びに前記の室外高濃度酸素濃縮・発生器１と連動して最も適切な室内酸素濃度を設定し、高濃度酸素を発生・供給することができる。
【００２１】
なおまた、８は室内酸素濃度センサーであり、室内の酸素濃度を自動的に検知・測定し、前記の酸素濃度調整器７により、利用者６にとって最も適切な、すなわち疾病予防又は疲労回復に適切な室内酸素濃度に設定することができ、これにより最も適切な酸素濃度による酸素が前記室外高濃度酸素濃縮・発生器１、室内高濃度酸素供給器２、送風ダクト３を通じて利用者６が就寝する室内５に供給される。
前記の室外高濃度酸素濃縮・発生器１は、例えば吸着剤を用いた吸着方式の既存の酸素Ｐ．Ｓ．Ａ．２Ａやその他の既知の酸素分離機や酸素ボンベなどを直接使用することが可能である。
現代（相当過去に遡れば酸素濃度はもっと濃いものとされている）の大気中の酸素濃度は約２０％であると云われている、本考案の装置による場合には、高濃度酸素は約９０％〜９５％濃度のもの、好ましくは大気中濃度の倍の４０％程度が適切である。なお上記のような高濃度酸素であっても、実際の上記室５内では大気中の空気中と混合するので、大気中の空気中における酸素よりも数％乃至１０数％程度富んだ酸素状態となる。このため、懸念される酸素中毒は見られない。
【００２２】
（実施例２）
図２は本考案の第二の実施形態における、高濃度酸素を使用する室内高濃度酸素供給装置を示す概略斜視図である。図２において、室内高濃度酸素供給装置１０は図１に示した室内高濃度酸素供給装置１０とほぼ同様の構成であるので、同じ構成要素には同じ符号を付してその説明を省略する。
図２において、室内高濃度酸素供給器は、シロッコファン又はスイングルーバ２’である。これにより、前記の換気扇型の室内高濃度酸素供給器２のファンが時計方向又は反時計方向に回転するのに比べ、この場合においてはファンが上下方向に回転又はスイングするので、室内５の上側の酸素を下側へと還流することができ、より満遍なく高濃度酸素を室内５に行き渡らせることができる。
【００２３】
（実施例３）
図３は本考案の第三の実施形態における、高濃度酸素を使用する室内高濃度酸素供給装置の使用状態を示す概略斜視図である。図３において、室外高濃度酸素濃縮・発生器１、送風ダクト３などは省略してある。この図において、室内高濃度酸素供給装置１０は、図１又は図２に示した室内高濃度酸素供給装置１０とほぼ同様の構成であるので、同じ構成要素には同じ符号を付してその説明を省略する。
図３は勉強部屋や書斎において使用される状態を示すものであり、２ａは室内高濃度酸素供給器２の吹き出し口である。この場合は、勉強部屋や書斎において使用されるので、椅子に座った状態での頭の位置に上記室内高濃度酸素供給器２を壁などに取り付ける。この室内高濃度酸素供給器２の大きさは適宜設定できるが、室内の調度品や机などとのバランスから小型や中型のものが適切である。８は室内酸素濃度センサーであり、また９は文字を大きめにしたデジタル時計である。このデジタル時計にはアラームやタイマー機構付加させることにより、使用がより便利となる。室内酸素濃度センサー８はリモコン（不図示）操作の利便性も考慮している。このリモコン操作により上記のセンサー８を介して室外高濃度濃縮・発生器（室外器）１を作動させる。
【００２４】
（実施例４）
図４は本考案の実施形態における、高濃度酸素を使用する室内高濃度酸素供給装置の使用状態を示す概略斜視図である。図４において、図３同様室外高濃度酸素濃縮・発生器１や送風ダクト３などは省略してある。この図においても室内高濃度酸素供給装置１０は、図１又は図２に示した室内高濃度酸素供給装置１０とほぼ同様の構成であるので、同じ構成要素には同じ符号を付してその説明を省略する。
図４は図３同様、勉強部屋や書斎において使用される状態を示すものであり、２ａは室内高濃度酸素供給器２の吹き出し口を額縁の一部に取り付けたものである。この室内高濃度酸素供給器２の大きさは適宜設定できるが、額本来の大きさを考慮し或いはまた室内の調度品や机などとのバランスから小型や中型のものが適切である。８は室内酸素濃度センサーであり、図３同様にリモコン（不図示）操作の利便性も考慮している。上記の実施例３同様に、このリモコン操作により上記のセンサー８を介して室外高濃度濃縮・発生器（室外器）１を作動させる。
【００２５】
今例えば、利用者６が就寝前に午前２時に前記室内高濃度酸素供給装置１０が作動し、連続４時間前記室内高濃度酸素供給器２が作動するように、タイマー４を設定すると、設定時間の午前２時に室外高濃度酸素濃縮・発生器１が作動し、室外高濃度酸素濃縮・発生器１から高濃度酸素が発生し、前記室外高濃度酸素濃縮・発生器１と室外高濃度酸素供給器２とを連通する送風ダクト３を通して、高濃度酸素が利用者６が就寝している部屋５に供給され、換気扇機能により当該高濃度酸素が前記部屋５にタイマー終了時の午前６時まで満遍なく高濃度酸素を行き渡らせることができ、これにより利用者６は酸素濃度が適切に調整された酸素富化空気を自然に吸入することができるので、疲労回復並びに最も脳卒中、心筋梗塞や肺疾患などの疾病が発症し易い時間帯にこれらの疾病の発症予防を行うことができる。
【００２６】
また、酸素濃度調整器７により、利用者６の所望する（利用者６のために最も適切な）酸素濃度を発生・供給させることができるので、利用者の体調に合った適正な当該装置の利用が可能となる。
また、室内酸素濃度センサー８により、室内の酸素濃度を自動的に検知・測定することができるので、利用者６の所望する適正な濃度の酸素を発生・供給させることができる。
なおまた、室内換気扇型の室内高濃度酸素供給器２をシロッコファン又はスイングルーバ２’にすれば、利用者の就寝する室の上側の高濃度酸素を絶えず下側に還流させることができ、上述の疾病予防や疲労回復に更に効果がある。
【００２７】
なお、上記においては主に疾病予防、疲労回復のためとして述べてきたが、実施例３や４にみられるように、勉強部屋や書斎において使用される場合には疲労回復ばかりでなく、思考能力にも有効である。また、高濃度酸素をより有効的に活かすために高濃度酸素供給器の設置高さは肩か頭の高さが良い。なおまた、設置場所は寝室、書斎、勉強部屋を挙げたが、その他リビングや台所などにも有効であることは云うまでもない。
さらにまた、高濃度酸素発生器（室外器）は室外の設定を前提に述べてきたが、発生するものが窒素や窒素化合物であるので、室内の例えば廊下やトイレでも構わない。これによりほこりや塵が室外器に入り難く、この装置を長持ちさせることができる。
【産業上の利用可能性】
【００２８】
この考案は、室内高濃度酸素供給装置であり、一般家庭用の疲労回復並びに疾病予防器であるが、高濃度酸素濃縮器並びに供給器を若干修正することにより、医療機関などにおいても利用可能である。
また同様に、前記高濃度酸素濃縮器並びに供給器を若干修正することにより、車両用の疲労回復装置としても利用することが可能である。
またさらに、既に発症している患者の寝室においては、生活環境の改善のために使用することが可能であり、この場合にはリラクゼーションルームとして利用し、患者の治療効果の増進にも期待出来るものである。
【図面の簡単な説明】
【００２９】
【図１】本考案の第一の形態に係る、高濃度酸素を使用する室内高濃度酸素供給装置を示す概略斜視図である。
【図２】本考案第二の形態に係る、高濃度酸素を使用する室内高濃度酸素供給装置の変形例を示す概略斜視図である。
【図３】本考案の第三の形態に係る、高濃度酸素を使用する室内高濃度酸素供給装置の変形例を示す概略斜視図である。
【図４】本考案の第四の形態に係る、高濃度酸素を使用する室内高濃度酸素供給装置の変形例を示す概略斜視図である。
【符号の説明】
【００３０】
１  室外高濃度酸素濃縮・発生器
２  室内高濃度酸素供給器（酸素換気扇）
２’シロッコファン又はスイングルーバ
２ａ室内高濃度酸素供給器の酸素吹き出し口
３  送風ダクト
４  高濃度酸素発生・供給タイマー
５  部屋
６  利用者
７  酸素濃度調整器
８  室内酸素濃度センサー
９  アラーム、タイマー付きデジタル時計
１０  室内高濃度酸素供給装置
【図１】
0003146320.tif 000003
【図２】
0003146320.tif 000004
【図３】
0003146320.tif 000005
【図４】
0003146320.tif 000006